(57)【要約】【課題】本発明の目的は、単純な構造と電源用の機械的に堅牢なデバイスとを有する、３次元耐荷重性管構造を有する家具システム用の節点要素を提供することである。【解決手段】３次元耐荷重性管構造を有する家具システム用の節点要素１００が、２本以上の管の機械的締結用の複数の連結点１１０、１２０、１３０を含む。節点要素は２つの領域１０１、１０２を更に含み、これらの領域は、互いから電気的に絶縁しているとともに、管用の連結点１１０、１２０、１３０において２つの電気的な極性を同軸にタップ引き出しすることができるように配置されている。【選択図】図１
2015132381.tif 000002
【特許請求の範囲】
【請求項１】
３次元耐荷重性管構造を有する家具システム用の節点要素であって、前記節点要素は、２本以上の管の機械的締結用の複数の連結点を有すると共に、互いから電気的に絶縁された２つの領域を有し、前記２つの相互に電気的に絶縁された領域は、前記管用の前記連結点において２つの電気的な極性を同軸にタップ引き出しすることができるように配置されていることを特徴とする、節点要素。
【請求項２】
相互に電気的に絶縁され且つ同軸に配置されている複数の領域であって、前記節点要素に締結可能な各管から、前記節点要素に締結されている任意の他の管内に電流を２極的に通すことができるように配置されている領域を特徴とする、請求項１に記載の節点要素。
【請求項３】
導電性材料から作製される外側部と、前記外側部の中に収められて導電性材料から作製される内側部と、介在する電気絶縁材料製の分離層とを含むことを特徴とする、請求項２に記載の節点要素。
【請求項４】
前記２つの電気的な極性のうちの第１の極性は、前記外側部においてタップ引出し可能であることを特徴とする、請求項３に記載の節点要素。
【請求項５】
前記内側部は、前記２本以上の管の締結用のねじ山を有することを特徴とする、請求項３又は４に記載の節点要素。
【請求項６】
前記節点要素の前記外側部の外面が、前記２つの電気的に絶縁された領域のうちの第１の領域を形成し、且つ前記ねじ山が、前記２つの電気的に絶縁された領域のうちの第２の領域を形成することを特徴とする、請求項５に記載の節点要素。
【請求項７】
前記外側部及び前記内側部は、金属材料から製造されることを特徴とする、請求項３〜６のいずれか１項に記載の節点要素。
【請求項８】
３次元耐荷重性管構造を有する家具システムであって、複数の管と、請求項１〜７のいずれか１項に記載の複数の３次元節点要素とを含み、前記管のうちの少なくとも１本は、前記管に沿って第１の極性及び第２の極性の電流を通す２つの相互に絶縁された電流導体を有し、そのため、前記節点要素と前記管の前記機械的締結の後、前記２つの電流導体は、前記節点要素の前記２つの相互に電気的に絶縁された領域に電気的に接続される、家具システム。
【請求項９】
前記管のうちの少なくとも１本の管内に電流を通す前記２つの相互に絶縁された電流導体は、互いに対して同軸に配置されることを特徴とする、請求項８に記載の家具システム。
【請求項１０】
前記少なくとも１本の管は、前記第１の極性を送る役割を果たし導電性材料から作製される構造管要素と、前記第２の極性を送り前記構造管要素内に絶縁配置で収容される内部導体とを備えることを特徴とする、請求項９に記載の家具システム。
【請求項１１】
一方で前記節点要素に取着可能であり、他方で前記管に取着可能であると同時に、前記コンタクト要素と前記コンタクト要素に取着される前記管との間に、機械的に荷重をかけることが可能な締結及び電気的接触をもたらすコネクタを特徴とする、請求項８〜１０のいずれか１項に記載の家具システム。
【請求項１２】
前記コネクタは、
ａ）前記コネクタに締結される管の固定用の機械的締結要素であって、ねじによって張力を付与でき、前記ねじは、前記節点要素のうちの１つの節点要素のねじ山と協働できるように前記機械的締結要素に配置される、機械的締結要素と、
ｂ）前記ねじと、前記機械的締結要素によって保持された前記管の前記内部導体とを接触させる、電気接触要素と、
を備えることを特徴とする、請求項１０又は１１に記載の家具システム。
【請求項１３】
請求項３〜７のいずれか１項に記載の節点要素を製造する方法であって、
ａ）特にフライス加工作業及び／又は旋削作業によって、互いから十分に隔たれている、同軸に存在する２つの部分を製造するために、導電性材料から作製されるワークを機械加工するステップと、
ｂ）前記２つの部分間に電気絶縁材料製の分離層を導入するステップと、
を特徴とする、方法。
【発明の詳細な説明】
【技術分野】
【０００１】
本発明は、３次元耐荷重性管構造を有する家具システム用の節点要素であって、該節点要素は、２本以上の管の機械的な締結に用いる複数の連結点を有し、また、互いから電気的に絶縁された２つの領域を有する、節点要素に関する。本発明は更に、このタイプの節点要素を有する家具システム、及びそのような節点要素を製造する方法に関する。
【背景技術】
【０００２】
複数の管と複数の３次元節点要素とを含む、３次元耐荷重性管構造を有する家具システムであって、２本以上の管が３次元節点要素のうちの１つの連結点に締結可能である家具システムが知られている。
【０００３】
そのようなものとして、特許文献１が例えば、フレーム構造用の管連結部を開示しており、この管連結部には、管端同士を互いに分離可能に連結するために、各管端に対するねじ山付きボアをそれぞれ有する連結頭部が設けられている。ねじ山付きボアがそれぞれの軸方向に延びている。これらに頭部付きねじを螺入することができ、頭部付きねじは管端内に突出し、頭部付きねじの軸部には、２つの楔スリーブがあり、楔スリーブは、互いに楔面が当接し、端面が互いに面さずに連結頭部又はねじ頭部に当接し、ねじが締め付けられると、管端を内側に固定する。
【０００４】
例えば照明器具等の、家具及び家具システムに配置される消費ユニットに、電力を供給することは必須である。このため、家具は、例えば開口を有することができ、その開口を通して、後側から供給ケーブルを延設することができる。そのような供給ケーブルを目立たたせずに又は見えないように中に延設することができるダクトも同様に慣例である。
【０００５】
また、３次元耐荷重性管構造を有するモジュール式家具システム内の通電デバイスが知られている。特許文献２が例えば、棚、キャビネット、支持構造体等の組立て用のユニバーサルブラケットに関している。ユニバーサルブラケットの内側には、電線管が配置されており、この電線管に、消費ユニット、例えば光源を、集電体によって接続することができる。ユニバーサルブラケットは、絶縁材料から作製される導体外郭を有することが好ましく、その断面に、電線管が収容される凹部を有し、導体外郭は、中性導体、相導体（phase）、及び、必要であれば、接地導体を支持することができる。集電体によってタップ引出し（tapping）が実現され、集電体は、同様に絶縁材料からなり、接続された電流導体において、外郭の中心に配置された導体につながり、中心に配置された中性導体の電流が、スパイクによってタップ引き出しされ、相導体の電流が、環状の接点によってタップ引き出しされる。導体外郭は、更なる支持外郭がもはや必要ないように、自己支持構成を有することができる。ユニバーサルブラケットは、フレームワーク節点と協働することができ、３本の通電軸が一節点において交わることができる。
【０００６】
特許文献３が、単純なアセンブリを可能にする陳列台を製造する装置に関しており、同様に電源を開示している。この装置は、取付要素の連結用の、立方体形状のハウジングを有する連結節点を含む。ハウジングは、取付要素のピンが収納されるピン挿入開口を有する。連結節点は、中心導電体システムを更に含み、この中心導電体システムは各ピン挿入開口について電気接続デバイスの一部を有しており、この一部は取付要素のピン領域内の相補的な部分に導電接続することができる。特に、これらのピンは、突栓構成を含み、取付要素の内側の接続リードに接続される。連結節点は、立方体形状の中心導電体システムを含み、それぞれの外面の中心にソケット凹部を有し、これらがともに有線接続される。
【０００７】
既知のシステムは比較的複雑であり、用いられる接触機構、例えばブッシュ及びプラグは、特に節点要素の領域において、機械的な影響を受けやすい。
【先行技術文献】
【特許文献】
【０００８】
【特許文献１】スイス特許第４２９３１７号（U. Schaerer's Soehne）
【特許文献２】欧州特許出願公開第０９８０１２０号（H. Breuer）
【特許文献３】独国特許出願公開第３９３１２２５号（E. Burgstaller）
【発明の概要】
【発明が解決しようとする課題】
【０００９】
本発明の目的は、３次元耐荷重性管構造を有する家具システム用の節点要素であって、導入部において述べた技術分野に属すとともに、単純な構造と電源用の機械的に堅牢なデバイスとを有する節点要素を創作することである。
【課題を解決するための手段】
【００１０】
［本発明の説明］
本目的の達成は、請求項１の特徴部によって規定される。本発明によれば、２つの相互に電気的に絶縁された領域が、管用の連結点において２つの電気的な極性を同軸でタップ引き出しされることができるように配置される。
【００１１】
したがって、電気的な接続を単純なやり方でもたらすことができ、比較的大きなスペースが実際の接点に利用可能である。管及び節点要素の相対回転位置は、電気的な接触には重要ではない。
【００１２】
本発明の意味における３次元節点要素により、複数本の管の連結が可能になり、これらは、締結された状態では、必ずしも同線上又は同平面内にある必要はない。６つの連結部が仮想立方体の外側に設けられている節点要素が特に好ましい。これに応じて、管とこのタイプの節点要素とによれば、構造要素（管）が３次元矩形グリッドに沿って延びる家具を構築することができる。これに応じて、節点要素自体は立方体形状であるか、又は、適した異なる形状、例えば球形を有することができる。
【００１３】
各場合において同軸とは、内側絶縁領域が、外側絶縁領域によって、部分的に又は好ましくは全体的に包囲されていることを意味する。
【００１４】
したがって、本発明による家具システムは、複数の管と、このような複数の３次元節点要素とを含む。ここでは、前記管のうちの少なくとも１本は、該管に沿って第１の極性及び第２の極性の電流を通す２つの相互に絶縁された電流導体を有し、そのため、前記節点要素と前記管の前記機械的締結の後、前記２つの電流導体は、前記節点要素の前記２つの相互に電気的に絶縁された領域に電気的に接続される。したがって、電流を管から管へ２極的に通すことができる。本発明による原理において、（例えば、複数の独立した電力回路が必要とされる場合でも）３つ又はそれ以上もの極を有する拡張形態も可能である。
【００１５】
家具システムは、例えば、棚システム、キャビネットシステム、抽斗システム、又は、上記コンポーネントとは異なるものを含むシステムによって構成することができる。家具システムは、特に、モジュール式構成を有する。すなわち、多くの異なる構成を、限られた数の基本要素（管、節点要素、並びに固定具及び取付具）により、実質的に制限なく構成することができる。
【００１６】
管の断面は、異なる形状を呈することができる。したがって、管は例えば、円形又は正多角形の外形を有することができるが、不規則な閉じた形状又は開いた形状も考えられ得る。
【００１７】
全ての管及び全ての節点要素が上述の導体特性を有することは、必要不可欠ではない。本発明による家具システムにおいて、導電機能を有しない管及び節点要素を導電性要素と組み合わせることができる。
【００１８】
少なくとも１つの節点要素は、相互に電気的に絶縁され且つ同軸に配置されている複数の領域を備えることが好ましく、そのため、節点要素に締結可能な各管から、節点要素に締結されている任意の他の管へ、電流を２極的に通すことができる。節点要素はこのように、ケーブル等のような中継体部又は別個の導体を全く必要とすることなく単純に構成することができる。
【００１９】
少なくとも１つの節点要素は、導電性材料から作製される外側部と、外側部の内側に収められて導電性材料から作製される内側部と、介在する電気絶縁材料製の分離層とを含むことが好ましい。したがって、節点要素は、単に３つの部分だけにより、必要な機械的な機能及び電気的な機能を有して構成することができる。
【００２０】
このタイプの節点要素は、特に以下のステップによって製造することができる。
ａ）互いから十分に隔てられている同軸に存在する２つの部分を得るように、特にフライス加工作業及び／又は旋削作業によって、導電性材料から作製されるワークを機械加工する。
ｂ）その後、電気絶縁材料製の分離層を２つの部分間に導入する。
【００２１】
互いから十分に隔たれていることは、ここでは、２つの部分は、原材によってつながっているところがないことを意味する。しかしながら、３次元節点要素では、２つの部分は概ね、非解体性の構成で存在する。すなわち、２つの部分は互いから非破壊的には分離させることができない。
【００２２】
このように、比較的複雑な幾何学形状の３次元導電性節点要素は、考えられ得る最も少ない数の部品により製造することもできる。これに応じて、優れた導電体特性とともに最適な機械的安定性が得られる。
【００２３】
代替的には、内側部及び外側部は、別々に製造され、その後、互いに対して締結される。この場合、節点要素の幾何学形状に応じて、内側部の挿入後に互いに結合可能な複数の部品から外側部を構成する必要がる。
【００２４】
２つの電気的な極性のうちの第１の極性は、外側部においてタップ引出し可能であることが有利である。これにより、特に単純な接触が可能になる。
【００２５】
好ましい実施形態では、少なくとも１つの節点要素の内側部は、２本以上の管の締結用のねじ山を有する。これらにより、節点要素との管の単純な安定した機械的な連結が可能になる。さらに、管を節点要素に対して圧締めすることができ、そのため、軸方向の遊びが回避される。
【００２６】
少なくとも１つの節点要素の外面は、２つの電気絶縁領域のうちの第１の領域を形成し、ねじ山は、２つの電気絶縁領域のうちの第２の領域を形成することが好ましい。したがって、管と節点要素との接触を特に単純に実現することができる。いずれにしても機械的な締結に必要とされ、したがって存在する要素、すなわち、軸方向の固定に用いるねじ山と、管の支持用の外面とが、同時に接触にも用いられる。
【００２７】
ねじ結合に加え、管と節点要素との連結用の他の締結機構、例えば、圧締め連結部、挿入溝、ロック部（例えば安全ボルト）との確実な連結等も考えられ得る。
【００２８】
外側部及び内側部は、金属材料、特に導電性金属材料から製造されることが好ましい。適した材料は例えば、真鍮である（必要であれば、クロムめっきされる）。
【００２９】
同様に他の材料を用いることができ、上記部分は、中実構成若しくは多部構成又は多層構成とすることができる。
【００３０】
管のうちの少なくとも１本の管内に電流を通す２つの相互に絶縁された電流導体は、互いに同軸に配置されることが好ましい。そのため、節点要素における導体の同軸配置が管内で続く。したがって、特に単純な導体配置が、家具システムの全ての関係する構造要素において得られる。
【００３１】
少なくとも１本の管は、第１の極性を送る役割を果たし導電性材料から作製される構造管要素と、第２の極性を送り構造管要素内に絶縁配置で収容される内部導体とを備えることが好ましい。第１の極性は、特に中性導体（アース）によって構成されている。したがって、管の構造は特に単純である。
【００３２】
家具システムは、コネクタであって、一方で、前記節点要素に取着可能であり、他方で、前記管に取着可能であると同時に、前記コンタクト要素と該コンタクト要素に取着される前記管との間に機械的に荷重をかけることが可能な締結及び電気的な接触をもたらすコネクタを備えることが有利である。コネクタは、機械的な連結の安定性及び電気的な接続の確実性を確保する特定の要素を備えることができる。コネクタは例えば、ねじ締め手段を備えることができ、このねじ締め手段は、節点要素における上述のねじ山と協働し、したがって、特に第２の極性の電気的な接触をもたらすことができる。加えて、コンタクト要素が存在することができ、コンタクト要素は、適した機構によって、節点要素の導電面に押し付けられ、したがって、第１の極性の電気的な接触をもたらす。
【００３３】
好ましい実施形態では、前記コネクタは、以下の：
ａ）該コネクタに締結される管の固定用の機械的締結要素であって、ねじによって張力を付与でき、前記ねじは、前記節点要素のうちの１つの節点要素のねじ山と協働できるように該機械的締結要素に配置される、機械的締結要素と、
ｂ）前記ねじと、前記機械的締結要素によって保持された前記管の前記内部導体とを接触させる、電気接触要素と、
を備える。
【００３４】
このタイプのコネクタにより、しっかりとした連結がもたらされ、ねじは、機械的締結要素の張力付与及び一方の極性の電気的な接続の双方に用いられ、それによって、部品コストが低減する。
【００３５】
記載のコネクタはまた、発明的な節点要素及び管とは独立して、モジュール式家具システムの構造要素の電気的な接続に有益である。
【００３６】
別個のコネクタの一代替形態では、管に締結要素を直接設けることができ、これらの締結要素により管を節点要素に締結することができ、締結要素は、電気的な接触が行われるように構成される。
【００３７】
以下の詳細な説明と特許請求の範囲の全体とから、本発明の更なる有利な実施形態と本発明の特徴の組合せとが得られる。
【図面の簡単な説明】
【００３８】
【図１】本発明による、家具システム用の節点要素の斜視図である。
【図２】節点要素の断面図である。
【図３】本発明による節点要素の家具システムの管との連結部の断面図である。
【図４】接触要素が取着されている節点要素の断面図である。
【発明を実施するための形態】
【００３９】
図面は、以下で言及される例示的な実施形態を示すのに用いられる。図中、同じ部品には原則的に、同じ参照符号が付されている。
【００４０】
図１は、本発明による、家具システム用の節点要素の斜視図を示し、図２は、２つのねじ山付きボアの２つの相互に垂直な軸を含む平面における節点要素の断面を示す。
【００４１】
節点要素１００は、球状連結頭部として構成されている。これは、図３と併せて以下で説明されるように、家具システムの管の連結される端同士の間に配置される。節点要素は、３つのねじ山付きボア１１０、１２０、１３０を有し、これらの軸はそれぞれ、互いに対して垂直に、かつ球の中心点を通って直径方向に延びる。これに応じて、節点要素１００の外面は６つの開口を有し、これらを通して、ねじ山１１１、１２１、１３１と協働するねじを挿入することができる。したがって、節点要素１００の補助により、必要に応じて２本〜６本の管を互いに連結することができる。
【００４２】
節点要素１００は、一体形の外側部１０１と、一体形の内側部１０２と、介在する電気絶縁層１０３とからなる。ねじ山付きボア１１０、１２０、１３０は内側部１０２にのみ延びている。外側部１０１及び内側部１０２は、クロムめっきされた真鍮から製造され、絶縁層１０３は、適したプラスチックからなる。
【００４３】
節点要素は、以下のように製造される。真鍮の固体ブロックから、従来のフライス加工作業及び／又は旋削作業によって球が製造され、その後、ひと続きのボアが製造され、ねじ山がフライス加工される。
【００４４】
以下のステップにおいて、リングがねじ山付きボアの周囲に所定の間隔でフライス加工される。隣接するねじ山付きボアのリングは、リング軸に対してそれぞれ垂直に延びているねじ山付きボアまで所定の距離のところで合流する。それによって、同軸に配置された、非解体性であるが相互に十分に隔てられた２つの部分が製造され、外側部１０１とその中に収められた内側部１０２となる。これらの２つの部分はここで、本質的に既知であるやり方で一緒にクロムめっきされる。
【００４５】
外側部１０１及び内側部１０２は次に、適した保持デバイスによって、それぞれの開口の軸が正確に一致する相対位置に保持される。この位置において、絶縁層１０３用のプラスチックが外側部１０１と内側部１０２との間に射出される。プラスチックが完全に硬化した後、完成した節点要素１００が得られる。
【００４６】
図３は、本発明による節点要素の家具システムの管との連結部の断面図を示す。
【００４７】
管２００が、クロムめっき鋼の外側ケーシング２０１を備える。外側ケーシング内には、絶縁材料、例えばプラスチックの外層２１１と、導電性材料、例えば銅の内層２１２とを有する内管２１０が収容されている。内管２１０は、管２００の両端まで延びるのではなく、端から例えば約１０ｃｍの所定の距離のところで終端している。外側ケーシング２０１は、締結された状態では、その自由端が、節点要素１００の外側部１０１の領域内で節点要素１００と接触する。接触面を増大させるため、外側ケーシング２０１は、図示の例示的な実施形態におけるものとは異なり、球面に合わせた幾何学形状を端面に有することができる。
【００４８】
管２００を節点要素１００に締結するために、２つの実質的に等しく構成された楔スリーブ２２１、２２２と、導電性材料から作製された頭部付きねじ２３０とが、管２００内に収容されており、頭部付きねじ２３０は、２つの楔スリーブ２２１、２２２を通って配置され、頭部付きねじ２３０のねじ山付き軸部２３１の端が、節点要素１００の関連するねじ山付きボア１２０に螺入される。節点要素１００に面する前部楔スリーブ２２１は、非導電性材料から製造されるか、又は、管２００、頭部付きねじ２３０及び／又は節点要素１００との接触面の領域内に、電気絶縁体を有する。ねじ２３０の頭部２３２と、楔スリーブ２２２の節点要素１００に面しない端面との間に、電気絶縁材料、例えばプラスチックから作製される絶縁体リング２４１と、導電性材料、例えば銅板から作製される接触リング２４２とが配置される。接触リング２４２は、環状の主部２４３と、外側で周方向に設けられている弾性接触部２４４とを含む。弾性接触部２４４は、組み付けられた状態では、内管２１０の内層２１２と接触する。
【００４９】
楔スリーブ２２１、２２２は、スリーブ軸に対して斜めに傾斜した、楔スリーブ２２１、２２２の楔面により、互いに当接して支持されており、節点要素１００に面しない端面が、ねじ２３０の頭部２３２に当接する。楔スリーブ２２１、２２２の外径は、管端をスムーズに容易に被せられることを可能にする遊びの分だけ、管端の内径よりも小さい。管２００が楔スリーブ２２１、２２２に被せられた後、ねじ頭部２３０が締め付けられると、楔スリーブ２２１、２２２は、管端の内側に押し付けられて管端を固定する。ねじ頭部に当接する楔スリーブの変位は、節点要素１００に向かって方向付けられるとともに節点要素１００に向けて管２００を運ぼう（transport）とする変位成分を更に有し、それによって管２００の外側ケーシング２０１と節点要素１００の外側部１０１との確実な接触を確保する。
【００５０】
頭部付きねじ２３０の締付け及び弛緩のために、その頭部２３２には、多角形挿入穴２３３（又は代替的には、ねじ回し係合用のスロット）が設けられている。また、ねじ２３０のねじ山付き軸部２３１の、頭部２３２の反対の端が、キー挿入用の多角形挿入穴２３４を有する。
【００５１】
比較的短い管の場合では、ねじ２３０の頭部２３２は、ねじ回し又はスクリューキーによって到達可能である。例えば角継手を形成する際のような多くの場合では、ねじ２３０のねじ山付き軸部２３１の多角形挿入穴２３４は、ねじ山付きボア１２０の、節点要素１００における直径方向に対向する位置にある使用されていない開口を通して、対応する多角形スクリューキーによってアクセス可能である。さらに、依然としてもっぱら管の内側に緩く接している楔スリーブにおいて、ねじ２３０の適した締付け又は弛緩も、管２００の軸の回りでの管２００の適切な回転によって可能であることが示されている。
【００５２】
ねじ山付きボア１１０、１２０の、管連結の際に使用されていない開口はそれぞれ、ねじ２３０が締め付けられた後でグラブねじによって閉鎖されることが有利である。
【００５３】
連結された状態では、管２００と節点要素１００との間に電流を２極的に送ることができる。第１の極性（中性導体）のコンタクトのために、管２００の外側ケーシング２０１が、節点要素１００の外側部１０１と直接接触する。第２の極性（相導体）が、管２００のうち、内管２１０の内層２１２にある領域内において送られる。そこでは、電流が、接触リング２４２の弾性コンタクト部２４４によってタップ引き出しされ、主部２４３を介してねじ２３０の頭部２３２に送られる。次に、ねじ２３０のねじ山部２３１、及び節点要素１００のねじ山付きボア１２０のねじ山１２１を介して、節点要素１００の内側部１０２の接触が行われる。したがって、同じやり方で節点要素１００に連結された更なる管が、外側部１０１及び内側部１０２を介して管２００の対応する導体に２極的に電気的に接続される。
【００５４】
図４は、接触要素３００が取着されている節点要素１００の断面図を示す。接触要素３００が、保持ねじ３１０用の受け入れボア３０２を有するハウジング３０１を備える。ハウジング内には、２極接続ケーブル３３０用の２つの接続点３２１、３２２が更に収容されている。接続点３２１、３２２のそれぞれには、コンタクト要素３２３、３２４が導電接続されている。一方のコンタクト要素３２３は、弾性的に構成されており、ハウジング３０１内の、締結された状態で節点要素１００側に面する開口３０２を通って、ハウジング３０１から出る。他方のコンタクト要素３２４は、環状部分を有し、節点要素１００に面しない後端で受け入れボア３０２を囲む。
【００５５】
接触要素３００は、節点要素１００のねじ山付きボア１２０の任意の選択された開口に保持ねじ３１０を単に螺入することによって締結することができる。保持ねじ３１０の頭部３１１は、コンタクト要素３２４の、受け入れボア３０２を囲む部分と接触する。保持ねじ３１０及びねじ山１３１により、節点要素１００の内側部１０２との接触がもたらされる。もう一方の、節点要素１００の外側部１０１に弾性的に直接当接しているコンタクト要素３２３を介して、第２の極性が送られる。
【００５６】
接触要素３００の補助により、家具システム内に通される両電流を原則的にタップ引き出しすることができるとともに、家具システムに電流を供給することができる。家具システム内に通される電圧は、安全性の理由から、４８Ｖを超えるべきではなく、非常に好適な電圧値は２４Ｖである。
【００５７】
本発明は、図示の例示的な実施形態に限定されない。したがって、特に、管と節点要素との機械的及び／又は電気的な接触は異なる方法で達成することができる。節点要素は異なる方法で、例えば、内側部と複数部分の外側部とを互いとは別々に製造し、次に一緒に合わせることによって、製造することができる。射出される絶縁層の代わりに、絶縁材料のリングを外側から内側部と外側部との間の空間に挿入することができる。
【００５８】
電流を異なる方法で管内に通すことができ、そのため、外側ケーシングの内側に塗布されるコーティングを内管の代わりに用いることができる。ケーブルによる導電も考えられる。
【００５９】
大要として、本発明は単純な構造と電源用の機械的に堅牢なデバイスとを有する家具システムを提供すると述べることができる。
【符号の説明】
【００６０】
１００  節点要素
１０１  外側部
１０２  内側部
１０３  絶縁層
１１０  ねじ山付きボア
１１１  ねじ山
１２０  ねじ山付きボア
１２１  ねじ山
１３０  ねじ山付きボア
１３１  ねじ山
２００  管
２０１  外側ケーシング
２１０  内管
２１１  外層
２１２  内層
２２１  楔スリーブ
２２２  楔スリーブ
２３０  頭部付きねじ
２３１  ねじ山付き軸部
２３３  多角形挿入穴
２３４  多角形挿入穴
２４１  絶縁体リング
２４２  接触リング
２４３  主部
２４４  接触部
３００  接触要素
３０１  ハウジング
３０２  受け入れボア
３０２  開口
３１０  保持ねじ
３１１  頭部
３２１  接続点
３２２  接続点
３２３  コンタクト要素
３２４  コンタクト要素
３３０  接続ケーブル
【図１】
2015132381.tif 000003
【図２】
2015132381.tif 000004
【図３】
2015132381.tif 000005
【図４】
2015132381.tif 000006
【外国語明細書】
2015132381.tif 000007
2015132381.tif 000008
2015132381.tif 000009
2015132381.tif 000010
2015132381.tif 000011
2015132381.tif 000012
2015132381.tif 000013
2015132381.tif 000014
2015132381.tif 000015
2015132381.tif 000016
2015132381.tif 000017
2015132381.tif 000018
2015132381.tif 000019
2015132381.tif 000020
2015132381.tif 000021
2015132381.tif 000022
2015132381.tif 000023
2015132381.tif 000024
2015132381.tif 000025
2015132381.tif 000026
2015132381.tif 000027
2015132381.tif 000028
2015132381.tif 000029
2015132381.tif 000030